(57)【要約】【課題】  従来、従来の情報表示装置においては、ユーザーが希望するコンテンツが表示されるまでの時間を短縮することは出来ないという問題があった。【解決手段】  上記課題を解決するべく、モデム１１にてインターネット網１２の特定されたＵＲＬへアクセスして該ＵＲＬからコンテンツデータを定期的に取得し、取得されたデータをメモリ１５に記憶し、ユーザーからのデータ表示要求に応じて前記メモリ１５に記憶されたデータをコントロール回路１４にて読み出し表示するようにした。【選択図】  図１
2005227837.tif 000002
【特許請求の範囲】
【請求項１】
コンピュータネットワークの特定のＵＲＬへアクセスして該ＵＲＬからコンテンツデータを定期的に取得するデータ取得手段と、このデータ取得手段で取得されたデータを記憶する記憶手段と、前記特定のＵＲＬへのアクセス要求があった場合は、該ＵＲＬとの接続がなされるまで前記記憶手段にて記憶されているコンテンツデータを読み出して表示する表示手段とを具備したことを特徴とする情報表示装置。
【請求項２】
請求項１記載の情報表示装置において、前記データ取得手段は設定した時間または時間間隔でコンピュータネットワークのＵＲＬへアクセスして該ＵＲＬからコンテンツデータを定期的に取得するように構成されたことを特徴とする情報表示装置。
【請求項３】
請求項１記載の情報表示装置において、前記データ取得手段はＵＲＬからコンテンツデータに加えてコンテンツにリンクされているデータも取得するように構成されたことを特徴とする情報表示装置。
【請求項４】
請求項１記載の情報表示装置において、前記データ取得手段がアクセスする前記特定のＵＲＬは複数であることを特徴とする情報表示装置。
【請求項５】
コンピュータネットワークの特定のＵＲＬへアクセスして該ＵＲＬからコンテンツデータを定期的に取得するステップと、このデータ取得ステップで取得されたデータを記憶するステップと、前記特定のＵＲＬへのアクセス要求があった場合に該ＵＲＬとの接続がなされるまで前記記憶手段にて記憶されているコンテンツデータを読み出して表示するステップとを具備したことを特徴とする情報表示方法。
【発明の詳細な説明】
【技術分野】
【０００１】
本発明は、例えばテレビジョン受像機にインターネットのコンテンツデータを表示する情報表示装置及び情報表示方法に関する。
【背景技術】
【０００２】
ＨＴＭＬブラウザを搭載することで、パーソナルコンピュータ（以下、ＰＣという）を用いずにインターネットを閲覧可能としたテレビジョン受像機が提案されている。しかしながらＨＴＭＬブラウザを起動してからコンテンツ取得までは時間がかかるという問題がある。この問題を解決するために、例えば特許文献１では、所望のＵＲＬ（Uniform Resource Locator）と接続するまでの間、直前に記憶しておいたコンピュータネットワークの画面を表示するようにした情報表示装置が提案されている。
【０００３】
しかしながら上記装置では、ユーザーが希望するコンテンツが表示されるまでの時間を短縮することは出来ないという問題があった。
【特許文献１】特開平１１−２０５７１１号公報（第３頁、第６頁乃至第７頁、図７）
【発明の開示】
【発明が解決しようとする課題】
【０００４】
上述したように、従来の情報表示装置においては、ユーザが希望するコンテンツが表示されるまでの時間を短縮することは出来ないという問題があった。本発明はこのような点に鑑みてなされたもので、ユーザーが希望するコンテンツが表示されるまでの時間を実質的に短縮することが可能な情報表示装置及び情報表示方法を提供することを目的とする。
【課題を解決するための手段】
【０００５】
上記目的を達成するために、請求項１にかかる情報表示装置は、コンピュータネットワークの特定のＵＲＬへアクセスして該ＵＲＬからコンテンツデータを定期的に取得するデータ取得手段と、このデータ取得手段で取得されたデータを記憶する記憶手段と、前記特定のＵＲＬへのアクセス要求があった場合は、該ＵＲＬとの接続がなされるまで前記記憶手段にて記憶されているコンテンツデータを読み出して表示する表示手段とを具備したことを特徴とするものである。
【０００６】
また、請求項２にかかる  情報表示装置は、請求項１記載の情報表示装置において、前記データ取得手段は設定した時間または時間間隔でコンピュータネットワークのＵＲＬへアクセスして該ＵＲＬからコンテンツデータを定期的に取得するように構成されたことを特徴とするものである。
【０００７】
さらに、請求項３にかかる情報表示装置は、請求項１記載の情報表示装置において、前記データ取得手段はＵＲＬからコンテンツデータに加えてコンテンツにリンクされているデータも取得するように構成されたことを特徴とするものである。
【０００８】
請求項４にかかる情報表示装置は、請求項１記載の情報表示装置において、前記データ取得手段がアクセスする前記特定のＵＲＬは複数であることを特徴とするものである。
【０００９】
請求項５にかかる情報表示方法は、コンピュータネットワークの特定のＵＲＬへアクセスして該ＵＲＬからコンテンツデータを定期的に取得するステップと、このデータ取得ステップで取得されたデータを記憶するステップと、前記特定のＵＲＬへのアクセス要求が
あった場合に該ＵＲＬとの接続がなされるまで前記記憶手段にて記憶されているコンテンツデータを読み出して表示するステップとを具備したことを特徴とするものである。
【発明の効果】
【００１０】
本発明によれば、ユーザーが希望するコンテンツが表示されるまでの時間を実質的に短縮することが可能な情報表示装置及び情報表示方法を提供することが出来る。
【発明を実施するための最良の形態】
【００１１】
以下、本発明になる情報表示装置及び情報表示方法の実施の形態について、図面を参照して説明する。
【００１２】
図１は本発明になる情報表示装置をテレビジョン受像機に適用した場合の一実施の形態を示すブロック図である。図中、１はアンテナであり、２はアンテナに接続されたチューナである。３はチューナ２に接続されたエラー訂正回路であり、選局された信号を誤り訂正符号に基づき訂正する。４はエラー訂正回路３に接続されたスクランブル制御回路であり、誤り訂正された信号のスクランブルを解除する。５はスクランブル制御回路４に接続された多重データ分離回路であり、受信信号からＭＰＥＧ音声データ、ＭＰＥＧ映像データ、ＳＩデータを分離する。
【００１３】
６は多重データ分離回路５に接続されたＭＰＥＧ音声再生回路であり、多重データ分離回路５にて分離されたＭＰＥＧ音声データをデコードする。７は、ＭＰＥＧ音声再生回路６に接続された出力端子である。なお、図示しないが、端子７にはスピーカが接続されている。８は多重データ分離回路５に接続されたＭＰＥＧ映像再生回路であり、多重データ分離回路５にて分離されたＭＰＥＧ映像データをデコードする。９は、映像／ＯＳＤ（オン・スクリーン・ディスプレイ）再生回路であり、ＭＰＥＧ映像再生回路８からの映像信号、後述するコンテンツ再生回路からの映像信号及びコントロール回路からのＯＳＤ信号を切り換えて出力する。１０は、映像／ＯＳＤ（オン・スクリーン・ディスプレイ）再生回路９に接続された出力端子である。なお、図示しないが、端子１０には表示器が接続されている。
【００１４】
一方、１１はインターネット網１２に接続されたモデムであり、これにはモデム１１から得られるコンテンツデータを映像信号に変換するコンテンツ再生回路１３が接続されている。モデム１１には、情報表示装置全体をコントロールするコントロール回路１４も接続されている。１５はコントロール回路１４を介してモデム１１にて得られたコンテンツデータ等を記憶するメモリであり、具体的にはＲＡＭ（ランダムアクセスメモリ）や磁気ディスク装置（ＨＤＤ）である。
【００１５】
１６はコントロール回路１４に内蔵される受信部（図示せず）を介してコントロール回路１４を制御するリモートコントローラ（以下、リモコンという）である。このリモコン１６には、詳細を後述するＵＲＬ打ち込み用のキー（図示せず）が設けられている。上記キーは、携帯電話機におけるキーと同様、同一キーの連続押しにより異なる文字を発生させることが出来るようになっている。
【００１６】
次に、図１の受像機の動作について説明する。まず受像機のユーザーが最初に行なうコンテンツ情報の取得タイミングの設定について説明する。
【００１７】
ユーザーは、リモコン１６を用いて図示せぬ表示画面にコンテンツ情報の取得タイミングの設定用の画面を映し出し、取得タイミングを特定の時間（例えば朝６時及び夕方６時の毎日等）に設定あるいは取得の時間間隔（例えば６時間毎）を設定する。（時間間隔の開始時間も合わせて特定する）。時間間隔で設定を行なう場合は、午前零時を間隔カウン
トの開始時間としても良いし、夜間（例えば午前零時から朝６時まで）を除いた時間内で時間間隔を設定できるようにしても良い。なお、上記設定用の画面は、コントロール回路１４からＯＳＤ信号を再生回路９に送ることにより、端子１０に接続された図示せぬ表示器に表示でき、また設定のための操作は、リモコン１６のカーソルキー等を用いる。これらは、テレビジョン受像機の画面を利用して受像機（または接続機器）の各種の機能設定を行う公知の技術を用いることで対応できる。
【００１８】
なお、ユーザーの希望により上述したコンテンツの自動取得を行わなせないようにすることも出来る。また、受像機の出荷時に予め標準でコンテンツ情報の取得時刻を設定しておき、ユーザーが設定を行わない場合でも、上記設定の時刻に自動的にコンテンツの取得が行われるようにすることも出来る。（設定変更を行えば、好みの時間または時間間隔でコンテンツ取得時刻を設定可能である。）
次に、コンテンツ情報の取得及び再生動作について、図２も参照して説明する。図２はコントロール回路１４によるコンテンツ情報の取得及び再生制御動作を説明するためのフローチャートである。なお、上記で説明したコンテンツ情報の取得タイミングの設定が既に終了しているとして説明する。設定がなされていない場合は、メーカーにて出荷時に設定済の時間にコンテンツ情報を取得する。
【００１９】
まず、ユーザー設定の時間となったかをチェックする（図２のステップＳ１）。すなわち、取得タイミングが特定の時間（例えば朝６時及び夕方６時の毎日等）に設定されていれば、その時間になったかを判断する。取得の時間間隔（例えば６時間毎）が設定されていれば、やはりその時間に到達したかを判断する。
【００２０】
ステップＳ１での判断がＹＥＳとなった場合は、モデム１１を起動し、特定ＵＲＬのコンテンツデータ及びリンクデータを取得する（ステップＳ２）。なお、その際に受像機が電源ＯＮ（画像表示がなされている状態）となっておらず待機状態になっている場合は、データ取得中及び後述するメモリへの記憶中、受像機の電源をＯＮとする。また、ＵＲＬの特定の方法としては、スタートページにあるコンテンツのＵＲＬやブックマークとして登録されているＵＲＬ、あるいは検索エンジンで検索されたコンテンツのＵＲＬを用いるようにすれば良い。要は、ユーザーがアクセスする頻度の多いＵＲＬを用いると良い。
【００２１】
ステップＳ２で取得したデータは、コントロール回路１４を介してメモリ１５へ送られ記憶される（ステップＳ３）。
【００２２】
さらにユーザーからコンテンツデータの取得要求がなされたかをチェックする（ステップＳ４）。ステップＳ４がＮＯであれば、ステップは再びＳ１に戻る。ステップＳ４がＹＥＳであればステップＳ５に進み、取得要求があったコンテンツのＵＲＬがステップＳ３にて記憶済のものかどうかを判断する。もしそうであれば（ステップＳ５でＹＥＳ）、メモリ１５に記憶されているデータを出力し再生すると共に、指定のＵＲＬへ接続してコンテンツデータの取得を開始する（ステップＳ６）。
【００２３】
ここで、ユーザーによるＵＲＬの入力は、リモコン１６に設けられた図示せぬＵＲＬ打ち込み用のキーを用いてコントロール回路１４にＵＲＬを送信することで、ユーザーが直接的に行うことが出来る。ＵＲＬ用の文字発生は同一キーを連続して押すことで異なる文字を生成できるので、ＵＲＬ入力のために用意すべきキーの数は少なくて済む。
【００２４】
ユーザーによるＵＲＬの入力（指定）方法としては、上記の如き直接入力以外にも、ブラウザに設けられたブックマークにあるものを使用したり、リモコン１６によりコントロール回路１４を制御して図示せぬ表示器の画面２１に図３に示す如きジャンル別のボタン２２を表示させ（図３の例の場合、ジャンルＡからＯまでの１５ジャンル）、リモコン１
６の図示せぬカーソルキー及び実行キーにより何れかのボタンを選択し（必要ならさらに詳細な下位選択画面を表示させて選択し）、選択したボタンに対応するメーカーが予め設定したＵＲＬをコントロール回路１４内の図示せぬメモリから読み出すことで指定したりすることができる。
【００２５】
なお、上記ジャンルＡ乃至Ｏの例としてはニュース、天気予報、趣味等を挙げることができる。また、ボタン２２の選択は、例えば図３の場合、カーソルキーにて指定しているボタンはボタン２３に示すように色が変更されて表示されるので、カーソルキーで好みのボタンを選択後、実行キーを押すことで選択が終了する。
【００２６】
次にモデム１１からのコンテンツ取得が完了したか否かを判断し（ステップＳ７）、完了していれば（ステップＳ７でＹＥＳ）、メモリ１５からのデータ再生をモデム１１からのデータ再生に切り換え（ステップＳ８）、一連の動作は終了する。
【００２７】
ステップＳ５でＮＯであれば、モデム１１を起動し、コンテンツデータの取得が完了したら、再生を開始する（ステップＳ９）。そして終了となる。
【００２８】
以上述べた本実施の形態によれば、事前に取得すべきコンテンツを適切に設定することで、ユーザーからコンテンツ取得の要求があった場合、その多くに対して表示までの時間を実質的に短縮することが可能となる。また、コンテンツにリンクされている音楽プロモーションやサーバー型サービスなどにおける動画データを事前に取得することも可能となるため、ユーザーに対して快適な操作性を提供することができる。
【００２９】
なお、上記実施の形態においては、インターネット網１２との接続はモデム１１を利用したダイアルアップ接続を念頭においているが、本発明はこれに限定されるものではなく、例えばＡＤＳＬなどのブロードバンドを用いた常時接続対応とすることも可能である。要は、インターネットへ接続できれば良いものである。その他、本発明の趣旨を逸脱しない限りにおいて、種々の変更・改良を加えることは可能である。
【図面の簡単な説明】
【００３０】
【図１】本発明になる情報表示装置及び情報表示方法の一実施の形態を示すテレビジョン受像機のブロック図。
【図２】図１の受像機の動作を説明するためのフローチャート。
【図３】図１の受像機の動作を説明するための表示画面の例。
【符号の説明】
【００３１】
９：  映像／ＯＳＤ再生回路
１０：  出力端子
１１：モデム
１２：インターネット網
１３：コンテンツ再生回路
１４：コントロール回路
１５：メモリ
１６：リモートコントローラ
【図１】
2005227837.tif 000003
【図２】
2005227837.tif 000004
【図３】
2005227837.tif 000005